【手続補正書】
【提出日】平成16年6月25日(2004.6.25)
【手続補正１】
【補正対象書類名】明細書
【補正対象項目名】特許請求の範囲
【補正方法】変更
【補正の内容】
【特許請求の範囲】
【請求項１】
物体側より光線が通過する順に、第１透過面、第１反射面、第２反射面、第３反射面、第２透過面からなり、第１透過面、第１反射面、第２反射面における軸上主光線上の３点から規定される平面に軸上主光線を射影した場合、その射影軸上主光線は、光線の進行方向を基準にしたときに、連続した２つの反射面で同じ方向に曲がり、もう１面ではそれとは異なる方向に曲がる光路をとり、また、少なくとも１面の反射面は回転非対称面であることを特徴とするプリズム光学系。
【請求項２】
物体側より光線が通過する順に、第１透過面、第１反射面、第２反射面、第３反射面、第２透過面からなり、第１透過面、第１反射面、第２反射面における軸上主光線上の３点から規定される平面に軸上主光線を射影した場合、その射影軸上主光線は、光線の進行方向を基準にしたときに、第１反射面と第２反射面で同じ方向に曲がり、第３反射面ではそれとは異なる方向に曲がる光路をとり、また、少なくとも１面の反射面は回転非対称面であることを特徴とするプリズム光学系。
【請求項３】
物体側より光線が通過する順に、第１透過面、第１反射面、第２反射面、第３反射面、第２透過面からなり、第１透過面、第１反射面、第２反射面における軸上主光線上の３点から規定される平面に軸上主光線を射影した場合、その射影軸上主光線は、光線の進行方向を基準にしたときに、第２反射面と第３反射面で同じ方向に曲がり、第１反射面ではそれとは異なる方向に曲がる光路をとり、また、少なくとも１面の反射面は回転非対称面であることを特徴とするプリズム光学系。
【請求項４】
光学系の開口と物体面あるいは像面との間に３つのプリズム反射面が配置され、物体側より光線が通過する順に、第１透過面、第１反射面、第２反射面を有し、それらの軸上主光線上の３点から規定される平面に軸上主光線を射影した場合、その射影軸上主光線は、光線の進行方向を基準にしたときに、連続した２つの反射面で同じ方向に曲がり、もう１面ではそれとは異なる方向に曲がる光路をとり、また、少なくとも１面の反射面は回転非対称面であることを特徴とするプリズム光学系。
【請求項５】
請求項１から４の何れか１項において、第１反射面から第３反射面は全て第１透過面、第２透過面とは別の面で構成されていることを特徴とするプリズム光学系。
【請求項６】
請求項１から４の何れか１項において、射影軸上主光線はプリズム内部では交差しないことを特徴とするプリズム光学系。
【請求項７】
請求項１から４の何れか１項において、射影軸上主光線が連続して同方向に曲がる２つの反射面は次の条件式を満たすことを特徴とするプリズム光学系。
０°≦θ＜４５°                                      ・・・（１）
ただし、θは射影軸上主光線が連続して同方向に曲がる２つの反射面において、第１の反射面へ入射する射影軸上主光線と第２の反射面から射出する射影軸上主光線のなす角度である。ただしθは、射影軸上主光線のなす角の中、小さい方の角度とする。
【請求項８】
請求項１から４の何れか１項において、射影軸上主光線が連続して同方向に曲がる２つの反射面は次の条件式を満たすことを特徴とするプリズム光学系。
０°≦θ＜３０°                                      ・・・（２）
ただし、θは射影軸上主光線が連続して同方向に曲がる２つの反射面において、第１の反射面へ入射する射影軸上主光線と第２の反射面から射出する射影軸上主光線のなす角度である。ただしθは、射影軸上主光線のなす角の中、小さい方の角度とする。
【請求項９】
請求項１から４の何れか１項において、射影軸上主光線が連続して同方向に曲がる２つの反射面の中、少なくとも１面は次の条件式を満たすことを特徴とするプリズム光学系。
１０°＜φ1 ＜７０°                                  ・・・（３）
ただし、φ1 は射影軸上主光線が連続して同方向に曲がる反射面での軸上主光線の反射角である。
【請求項１０】
請求項１から４の何れか１項において、射影軸上主光線が連続して同方向に曲がる２つの反射面の中、少なくとも１面は次の条件式を満たすことを特徴とするプリズム光学系。
２０°＜φ1 ＜６０°                                  ・・・（４）
ただし、φ1 は射影軸上主光線が連続して同方向に曲がる反射面での軸上主光線の反射角である。
【請求項１１】
請求項１から４の何れか１項において、射影軸上主光線が連続して同方向に曲がる２つの反射面が次の条件式を満たすことを特徴とするプリズム光学系。
０．１＜｜ｄ／ｆ｜＜３                                ・・・（５）
ただし、ｄは前記両反射面における軸上主光線上の距離、ｆはプリズム光学系全体の焦点距離である。
【請求項１２】
請求項１から４の何れか１項において、射影軸上主光線が連続して同方向に曲がる２つの反射面が次の条件式を満たすことを特徴とするプリズム光学系。
０．３＜｜ｄ／ｆ｜＜２                                ・・・（６）
ただし、ｄは前記両反射面における軸上主光線上の距離、ｆはプリズム光学系全体の焦点距離である。
【請求項１３】
請求項１から４の何れか１項において、他の２つの反射面とは別の方向に曲がる反射面が次の条件式を満たすことを特徴とするプリズム光学系。
２０°＜φ2 ＜７０°                                  ・・・（７）
ただし、φ2 は他の２つの反射面とは別の方向に曲がる反射面での軸上主光線の反射角である。
【請求項１４】
請求項１から４の何れか１項において、他の２つの反射面とは別の方向に曲がる反射面が次の条件式を満たすことを特徴とするプリズム光学系。
３０°＜φ2 ＜６０°                                  ・・・（８）
ただし、φ2 は他の２つの反射面とは別の方向に曲がる反射面での軸上主光線の反射角である。
【請求項１５】
請求項１から４の何れか１項において、プリズム光学系に入射する射影軸上主光線と射出する射影軸上主光線が下記の条件を満たすことを特徴とするプリズム光学系。
４５°＜ω＜１３５°                                  ・・・（９）
ただし、ωはプリズムへ入射する射影軸上主光線とプリズムから射出する射影軸上主光線のなす角度である。また、ωは射影軸上主光線のなす角の中、小さい方の角度をとる。
【請求項１６】
請求項１から４の何れか１項において、プリズム光学系に入射する射影軸上主光線と射出する射影軸上主光線が下記の条件を満たすことを特徴とするプリズム光学系。
６０°＜ω＜１２０°                                ・・・（１０）
ただし、ωはプリズムへ入射する射影軸上主光線とプリズムから射出する射影軸上主光線のなす角度である。また、ωは射影軸上主光線のなす角の中、小さい方の角度をとる。
【請求項１７】
請求項１から４の何れか１項において、第２反射面の射出角と第３反射面の射出角が次の条件を満たしていることを特徴とするプリズム光学系。
０°≦α2 ＜３０°                                  ・・・（１１）
０°≦α3 ＜３０°                                  ・・・（１２）
ただし、α2 は第１透過面、第１反射面、第２反射面における軸上主光線上の３点から規定される平面と第２反射面の射出軸上主光線のなす角度、α3 は第１透過面、第１反射面、第２反射面における軸上主光線上の３点から規定される平面と第３反射面の射出軸上主光線のなす角度である。
【請求項１８】
請求項１から４の何れか１項において、第２反射面の射出角と第３反射面の射出角が次の条件を満たしていることを特徴とするプリズム光学系。
０°≦α2 ＜１５°                                  ・・・（１３）
０°≦α3 ＜１５°                                  ・・・（１４）
ただし、α2 は第１透過面、第１反射面、第２反射面における軸上主光線上の３点から規定される平面と第２反射面の射出軸上主光線のなす角度、α3 は第１透過面、第１反射面、第２反射面における軸上主光線上の３点から規定される平面と第３反射面の射出軸上主光線のなす角度である。
【請求項１９】
請求項１から４の何れか１項において、少なくとも１面の反射面が全反射することを特徴とするプリズム光学系。
【請求項２０】
請求項１から４の何れか１項において、３つの反射面の中、少なくとも２面が正パワーであることを特徴とするプリズム光学系。